(57)【要約】【課題】確実にゴト行為を防止する。【解決手段】メダルセレクタ４１は、下方向通路５３、斜め下方向通路５４を備える。メダルセレクタ４１には、上下方向に移動自在な移動板６１が設けられる。移動板６１には、メダル検知センサ４７、メダル検知センサ４７の下方で斜め下方向通路５４側に突出したフィラー６２が設けられる。フィラー６２は、斜め下方向通路５４を転動するメダル３に押されてメダル転動方向に変形する。ゴト器具ＧＴを、フィラー６２の下方に位置するように挿入した後に上方に移動させると、フィラー６２にゴト器具ＧＴが当接し、フィラー６２は移動板６１を上方に移動させ、ゴト器具ＧＴによるメダル検知センサ４７の不正作動が防止される。移動板６１が上方に移動したことが移動検知センサ７１で検知されると、ＣＰＵ８１は、エラー報知するとともにスロットマシン２を遊技不能な状態にする。【選択図】図９
2010233594.tif 000002
【特許請求の範囲】
【請求項１】
メダル投入口から投入されたメダルを下方向に案内する下方向通路と、前記下方向通路を案内された前記メダルを起立した状態で斜め下方向に転動させる斜め下方向通路とを備える遊技機において、
前記斜め下方向通路を転動する前記メダルを検知するメダル検知センサと、
前記メダル検知センサが設けられ、前記斜め下方向通路の側壁の一部を構成するとともに、上下方向に移動自在な移動板と、
前記メダル検知センサの下方で前記斜め下方向通路内に突出するように前記移動板に設けられ、前記斜め下方向通路を転動する前記メダルに押されてメダル転動方向に変形するとともに、下方から押されたときに前記移動板を上方に移動させる弾性片とを備えることを特徴とする遊技機。
【請求項２】
前記移動板が、前記メダル検知センサによる前記メダルの検知が可能な検知可能位置から、前記メダル検知センサによる前記メダルの検知が不能な検知不能位置に向けて移動したことを検知する移動検知センサと、
前記移動検知センサによる検知に応じて、エラー処理を行うエラー処理手段とを備えることを特徴とする請求項１記載の遊技機。
【発明の詳細な説明】
【技術分野】
【０００１】
本発明は、パチンコ店に設置されるスロットマシン等の遊技機に関するものである。
【背景技術】
【０００２】
パチンコ店などの遊技場に設置して使用される遊技機の１つとしてのスロットマシンは、その遊技媒体としてのメダルに一定の価値が与えられており、遊技を行って獲得したメダルは種々の景品に交換することができる。遊技を行う場合には、メダルをメダル投入口に投入して行う。
【０００３】
スロットマシンには、メダル投入口から投入されたメダルが正規品か不正品かセレクトするメダルセレクタと、メダルセレクタで正規品と判定されたメダルを案内するメダル案内部材と、メダル案内部材を案内されたメダルを貯留するメダルタンクとが設けられている。メダルセレクタには、メダル投入口から投入されたメダルを下方向に案内する下方向通路と、この下方向通路を案内されたメダルを起立した状態で斜め下方向に転動させる斜め下方向通路とからなるメダル通路が設けられている。斜め下方向通路には、メダルの前面または後面の上部を検知することにより、メダルの通過を検知するメダル検知センサが設けられている。このメダル検知センサにより検知されたメダルはクレジットされ、このクレジットを用いて遊技が行われる。
【０００４】
ところで、近年、正規の方法とは異なる方法によってメダル投入を行う、いわゆる、ゴト行為が行われることがある。このゴト行為と１つとして、メダル投入口からメダル検知を不正に行うための器具（以下、「ゴト器具」と称する）を挿入することがある。このゴト器具をメダル投入口から挿入し、メダル検知センサを誤作動させると、実際にメダルの投入を行うことなくメダル検知を行うことができる。ゴト器具を用いてメダル検知を行った遊技者は、クレジットされたメダルを引き出す、あるいは、不正なメダル検知によるクレジットによって遊技を行うなどの行為によって不正に利益を得ることができる。ゴト行為によって一部の遊技者が不正に利益を得ることは、遊技場の利益に損失が生じるばかりか、公平な遊技を行うことができないことを理由に遊技者の遊技への興味を失わせてしまうこともあり、ゴト行為を防止する機能をスロットマシンに付加することは、スロットマシンメーカーにとって大きな課題の１つとなっている。
【０００５】
特許文献１では、斜め下方向通路に挿入されたゴト器具が引き戻されるときの経路の近傍にメダル検知センサを配し、このメダル検知センサにより、ゴト器具が引き戻されたことを検出するスロットマシンが提案されている。また、特許文献２では、メダルの投入により回転する回転体をメダル通路に設け、この回転体の回転方向を検出することにより、ゴト器具の引き戻しを検出するスロットマシンが提案されている。
【０００６】
特許文献３では、メダル通路をクランク状に形成することにより、ゴト器具を挿入し難くしたスロットマシンが提案されている。また、特許文献４では、ゴト器具の通過を阻止するようにメダル通路に突出する阻止部材を設け、この阻止部材の先端に設けた刃部でゴト器具を破壊するスロットマシンが提案されている。
【先行技術文献】
【特許文献】
【０００７】
【特許文献１】特開２００４−１６６８０６号公報
【特許文献２】特開２００６−０５１１８８号公報
【特許文献３】特開２００６−０４３２８０号公報
【特許文献４】特開２００６−０８７７１６号公報
【発明の概要】
【発明が解決しようとする課題】
【０００８】
ゴト器具の１つとして、例えばメダル投入口に挿入可能でメダルの径よりも幅狭な板状の部材に複数のＬＥＤを配置し、複数のＬＥＤをそれぞれ異なるタイミングで点滅させるように制御するものがある。このゴト器具を、メダル投入口からメダル検知センサの下方に位置するように挿入した後、ＬＥＤがメダル検知センサに対面するように上方に移動させると、ＬＥＤの点滅によってメダル検知センサを不正に作動させることができる。特許文献１及び２においても、このようなゴト器具が使用され、引き戻しを検知させないようにゴト器具の引き戻しが行われた場合には、ゴト行為を防止することができない。特許文献３でも、ゴト器具がクランク形状に沿って挿入された場合には、ゴト行為を防止することができない。また、特許文献４でも、ゴト器具が破壊されるまでは、ゴト行為を防止することができない。
【０００９】
本発明は、上記問題点を考慮してなされたもので、確実にゴト行為を防止することができる遊技機を提供することを目的とする。
【課題を解決するための手段】
【００１０】
上記目的を達成するために、本発明の遊技機は、メダル投入口から投入されたメダルを下方向に案内する下方向通路と、前記下方向通路を案内された前記メダルを起立した状態で斜め下方向に転動させる斜め下方向通路とを備える遊技機において、前記斜め下方向通路を転動する前記メダルを検知するメダル検知センサと、前記メダル検知センサが設けられ、前記斜め下方向通路の側壁の一部を構成するとともに、上下方向に移動自在な移動板と、前記メダル検知センサの下方で前記斜め下方向通路内に突出するように前記移動板に設けられ、前記斜め下方向通路を転動する前記メダルに押されてメダル転動方向に変形するとともに、下方から押されたときに前記移動板を上方に移動させる弾性片とを備えることを特徴とする。
【００１１】
また、前記移動板が、前記メダル検知センサによる前記メダルの検知が可能な検知可能位置から、前記メダル検知センサによる前記メダルの検知が不能な検知不能位置に向けて移動したことを検知する移動検知センサと、前記移動検知センサによる検知に応じて、エラー処理を行うエラー処理手段とを備えることが好ましい。なお、前記エラー処理は、前記移動板を前記検知可能位置から前記検知不能位置に向けて移動させた者に不利な状態にする処理であり、例えば、エラー報知する、遊技機を遊技不能な状態にする、メダルの払い出しを不能にする等が挙げられる。
【発明の効果】
【００１２】
本発明によれば、メダルが転動する斜め下方向通路の側壁の一部を構成し、上下方向に移動自在な移動板に、メダルの上部を検知するメダル検知センサと、メダル検知センサの下方で斜め下方向通路内に突出し、下方から押されたときに移動板を上方に移動させる弾性片とを設けたから、メダル検知センサを不正に作動させるために、ゴト器具を、メダル検知センサの下方に位置するように挿入した後、メダル検知センサに対面するように上方に移動させるゴト行為が行われた場合にも、ゴト器具が弾性片に当接することにより、ゴト器具の上方への移動に合わせて移動板も上方に移動する。これにより、ゴト器具がメダル検知センサに対面することがないから、ゴト器具によりメダル検知センサが不正に作動されることがなく、確実にゴト行為を防止することができる。また、移動板に設けられた弾性片は、メダルに押されてメダル転動方向に変形するから、メダルの転動を妨げることがない。
【００１３】
また、移動板が、メダル検知センサによるメダルの検知が可能な検知可能位置から、メダル検知センサによるメダルの検知が不能な検知不能位置に向けて移動したときに、エラー処理を行うから、より一層確実にゴト行為を防止することができる。例えば、エラー処理としてエラー報知を行う場合には、遊技場の管理者は、ゴト行為が行われたことを迅速に把握することができる。
【図面の簡単な説明】
【００１４】
【図１】スロットマシンの斜視図である。
【図２】前面扉を開放した状態のスロットマシンの斜視図である。
【図３】メダルセレクタとメダル案内部材とを示す斜視図である。
【図４】メダルセレクタと移動板とを示す分解斜視図である。
【図５】メダルセレクタとメダル検知センサと移動板とフィラーとビスとを示す側面断面図である。
【図６】（Ａ）は移動板が検知可能位置に位置する状態、（Ｂ）は移動板が検知不能位置に位置する状態のメダルセレクタと移動板とを示す側面断面図である。
【図７】スロットマシンの電気的構成を示すブロック図である。
【図８】（Ａ）はフィラーが変形する前、（Ｂ）はメダルによりフィラーが変形した状態のメダルセレクタと移動板とを示す上面断面図である。
【図９】（Ａ）は移動板が検知可能位置に位置するときにゴト器具が斜め下方向通路に挿入された状態、（Ｂ）はゴト器具の上方への移動により移動板が検知不能位置に移動した状態のメダルセレクタと移動板とゴト器具とを示す側面断面図である。
【発明を実施するための最良の形態】
【００１５】
図１及び図２に示すように、スロットマシン２は、メダル３を用いて遊技を行うものであり、正面に開口部６ａを有する収納箱６と、開口部６ａを開閉自在に塞ぐ前面扉７とを備える。前面扉７の上部には、ＬＣＤ８が設けられている。このＬＣＤ８には、遊技中の演出画像などが表示される。
【００１６】
前面扉７のＬＣＤ８の下方には図柄表示窓１０が設けられ、図柄表示窓１０の奥に第１リール１１ａ，第２リール１１ｂ，第３リール１１ｃが回転自在に組み込まれている。周知のように、第１〜第３リール１１ａ〜１１ｃの外周には様々な図柄が一定ピッチで配列され、リールが停止した状態では図柄表示窓１０を通して１リール当たり３個の図柄が観察される。これにより、各リールの図柄を１個ずつ組み合わせた直線状の入賞ラインが横３本斜め２本の合計５本設定されている。
【００１７】
前面扉７の上部で図柄表示窓１０の下方にはクレジット枚数表示窓１２が設けられている。クレジット枚数表示窓１２の奥には、クレジット枚数表示装置１３（図７参照）が設けられている。スロットマシン２では５０枚を限度に適正なメダルを貯留することが可能になっており、クレジット枚数表示装置１３は、貯留されているメダル３の枚数を、クレジット枚数表示窓１２を通して表示する。クレジット枚数表示窓１２の側方にはエラー表示窓１４が設けられている。エラー表示窓１４の奥には、エラー表示窓１４を通してエラーコードを表示させるエラーコード表示装置１５（図７参照）が設けられている。機械動作、遊技動作に異常がある場合等には、エラー表示窓１４を通して異常に応じたエラーコードが表示されるようになっている。
【００１８】
前面扉７には操作パネル１６が設けられている。この操作パネル１６には、１枚ベットボタン１７、ＭＡＸベットボタン１８、精算ボタン１９、スタートレバー２０、第１ストップボタン２１、第２ストップボタン２２、第３ストップボタン２３などの操作ボタンが設けられている。なお、各操作ボタンの機能については周知であるため、詳細については省略する。
【００１９】
前面扉７には遊技の演出時やエラーを報知する際に発光するランプ２７と、遊技の演出時やエラーを報知する際に音声を発生するスピーカ２８と、シリンダ２９とが設けられている。シリンダ２９に専用のドアキー（図示せず）を差し込んで回転させると前面扉７の施錠が解除される。これにより、前面扉７を回動させて収納箱６を開放することができる。
【００２０】
収納箱６の内部には、第１〜第３リール１１ａ〜１１ｃの他に、電源装置３１とホッパーユニット３２とが設けられている。
【００２１】
電源装置３１の前面には、スロットマシン２の主電源のオン／オフを行うための電源スイッチ３３と、スロットマシン２の設定変更を行う際に設定変更キーが差し込まれるキーシリンダ３４と、設定を変更する設定変更ボタン３５とが設けられている。なお、電源スイッチ３３、キーシリンダ３４及び設定変更ボタン３５の機能については周知であるため、詳細については省略する。
【００２２】
ホッパーユニット３２は、遊技の実行によりメダル投入口２５から投入されたメダルを貯留するメダルタンク３２ａと、ホッパー装置３２ｂとを備えている。メダルタンク３２ａは、メダル３を例えば１５００枚貯留可能となっており、ホッパー装置３２ｂの上部に着脱自在に取り付けられている。ホッパー装置３２ｂは、メダル３の払い出しを伴う当選役に入賞したときに作動して、メダルタンク３２ａに貯留されているメダル３を当選役の種類に応じた数だけ払い出す。このホッパー装置３２ｂにより払い出されたメダル３は、払い出し口３６からメダル受け皿３７に払い出される。
【００２３】
前面扉７の内側部分には、メダル投入口２５から投入されたメダル３が正規品か不正品かセレクトするメダルセレクタ４１と、メダルセレクタ４１で正規品と判定されたメダル３をメダルタンク３２ａに向けて案内するメダル案内部材４２とが設けられている。メダルセレクタ４１には通路カバー４３が取り付けられている。
【００２４】
図３に示すように、メダルセレクタ４１は、セレクタ本体４５、振分装置４６、メダル検知センサ４７を備える。セレクタ本体４５には、メダル３の直径よりも幅がやや広い溝からなるメダル通路５１が形成されている。メダルセレクタ４１が前面扉７に取り付けられると、メダル通路５１のメダル入口５１ａはメダル投入口２５と連通するようになっており、メダル投入口２５から投入されたメダル３はメダル入口５１ａからメダル通路５１内に侵入する。
【００２５】
メダル通路５１は、略Ｌ字形に屈曲しており、メダル入口５１ａから侵入したメダル３を下方向（図３中Ａ方向）に案内する下方向通路５３と、下方向通路５３を案内されたメダル３を起立した状態で斜め下方向（図３中Ｂ方向）に転動させる斜め下方向通路５４とを備える。
【００２６】
セレクタ本体４５には、メダル３の周面と接触する接触底面４５ａと、メダル３の前面または後面（以下、「メダル３の表面」と称する）と接触する第１接触壁面４５ｂと、第１接触壁面４５ｂと対向し、メダル３の表面下部と接触する第２接触壁面４５ｃとが設けられている。なお、セレクタ本体４５は、図３中Ｄ方向にやや傾くように前面扉７に取り付けられているため、メダル３は第２接触壁面４５ｃの方向に自重がかかる。
【００２７】
振分装置４６は、セレクタ本体４５の第１接触壁面４５ｂに設けられている。振分装置４６は、セレクタ本体４５に取り付けられる取付板４６ａ、取付板４６ａに図３中Ｃ方向に回動自在に取り付けられる回動板４６ｂ、回動板４６ｂに励磁作用を与えるソレノイド（図示せず）及び回動板４６ｂを付勢する捩じりバネ（図示せず）を備える。
【００２８】
取付板４６ａ及び回動板４６ｂは、金属製の薄板で形成されている。取付板４６ａは、矩形状に形成されており、セレクタ本体４５の第１接触壁面４５ｂから第２接触壁面４５ｃに向けて突出するように取り付けられている。
【００２９】
回動板４６ｂは、略Ｔ字状に形成されており、取付板４６ａの突出方向と直交して第１接触壁面４５ｂと対面するように、取付板４６ａに回動自在に取り付けられている。回動板４６ｂの幅が広い部分であるメダル振り分け部４６ｃは、第１接触壁面４５ｂと対向して突出し、メダル３の表面上部を支持してメダル３を通過させる通過位置と、メダル３の表面上部の支持を解除して、メダル３を図３中Ｄ方向に落下させる落下位置との間で回動可能に設けられている。メダル振り分け部４６ｃは、振分装置４６のソレノイドによる励磁作用及びバネの復元力によって回動する。
【００３０】
メダル振り分け部４６ｃが通過位置にあるときには、メダル振り分け部４６ｃの下端縁から接触底面４５ａまでの距離が、メダル３の直径よりも小さくなる。これにより、メダル振り分け部４６ｃは、接触底面４５ａの上を転動するメダル３の表面上部と接触してメダル３を支持し、投入されたメダル３は斜め下方向通路５４を転動する。
【００３１】
メダル３が投入されると、振分装置４６のソレノイドによる励磁作用が働くことで、回動板４６ｂは通過位置にセットされる。これにより、メダル３が正規の大きさであれば、回動板４６ｂのメダル振り分け部４６ｃによってメダル３の転動方向が図３中Ｂ方向に規制されるので、メダル３は斜め下方向通路５４を転動する。
【００３２】
図２に示すように、通路カバー４３の回動板４６ｂが設けられている箇所には切欠き４３ａが形成されている。この切欠き４３ａから正規の大きさでないメダル３が払出しシュート５８に排出される。メダル３が貯留されている枚数が上限枚数である５０枚に達している場合や、遊技を行っている最中（スタートレバー２０の操作により第１〜第３リール１１ａ〜１１ｃが回転してから、第１〜第３リール１１ａ〜１１ｃが全て停止するまで）には、振分装置４６のソレノイドによる励磁作用が断たれ、回動板４６ｂはバネの復元力によって通過位置から落下位置にセットされる。回動板４６ｂが落下位置にセットされているときに、メダル投入口２５から投入されたメダル３は、回動板４６ｂにより支持されないため、通路カバー４３の切欠き４３ａから図３中Ｄ方向に落下して、払出しシュート５８を介して払い出し口３６から払い出される。
【００３３】
なお、メダル通路５１の回動板４６ｂが設けられている部分以外は、通路カバー４３によって塞がれている。そのため、メダル通路５１の回動板４６ｂが設けられている部分以外では投入されたメダル３がメダル通路５１から脱落することはない。
【００３４】
図３に示すように、メダル検知センサ４７は、第１メダルセンサ４７ａ及び第２メダルセンサ４７ｂから構成されている。第１及び第２メダルセンサ４７ａ，４７ｂは、例えば、投光部と受光部とを一体に備えた光電センサから構成されている。第１及び第２メダルセンサ４７ａ，４７ｂは、メダル３の転動方向に沿って上流側に第１メダルセンサ４７ａ、下流側に第２メダルセンサ４７ｂが配置されている。
【００３５】
メダル３が、第１メダルセンサ４７ａや第２メダルセンサ４７ｂの前を通過していないときには、各センサ４７ａ，４７ｂの投光部から投光した光が受光部で受光されず、各センサ４７ａ，４７ｂはオフとなる。メダル３が、第１メダルセンサ４７ａや第２メダルセンサ４７ｂの前を通過しときには、各センサ４７ａ，４７ｂの投光部から投光した光がメダル３で反射されて受光部で受光され、各センサ４７ａ，４７ｂはオンとなる。各センサ４７ａ，４７ｂがオフからオンとなったことに応じて、メダル検知センサ４７は、斜め下方向通路５４を転動するメダル３を検知する。
【００３６】
メダルセレクタ４１の下流側の側方には、メダル案内部材４２が隣接して配置されている。斜め下方向通路５４を転動したメダル３は、メダル案内部材４２によってメダルタンク３２ａに案内される。
【００３７】
メダル案内部材４２にはその断面を略コの字形状とした溝からなるメダル通路５７が形成されている。このメダル通路５７は、斜め下方向通路５４と連通する。このため、斜め下方向通路５４を転動したメダル３は、メダル通路５７に侵入する。
【００３８】
メダル案内部材４２は、斜め下方向通路５４を図３中Ｂ方向に転動するメダル３がメダル通路５７でスロットマシン２の背面側に向かう方向（図３中Ｅ方向）に案内方向を変更するように、屈曲している。そして、前面扉７が閉じられると、メダル通路５７のメダル出口５７ａは、メダルタンク３２ａの上方に位置する。また、メダル通路５７は斜め下方向通路５４からメダル３が侵入する方の端部からメダル出口５７ａにかけて下方に傾斜しており、斜め下方向通路５４からメダル通路５７に侵入したメダル３はその傾斜によってメダル通路５７を案内される。
【００３９】
図３に示すように、斜め下方向通路５４における振分装置４６よりも下流側には、斜め下方向通路５４の側壁の一部を構成するとともに、上下方向に移動自在な移動板６１が設けられている。
【００４０】
図４及び図５に示すように、移動板６１は、板状の本体部６１ａと、この本体部６１ａの後面から突出する円柱状のボス６１ｂとを備える。本体部６１ａの前面上部には、メダル検知センサ４７が設けられている。メダル検知センサ４７の下方であって、本体部６１ａの前面下部には、前面側（斜め下方向通路５４側）に突出したフィラー（弾性片）６２が、Ｂ方向に２個並んで設けられている。このフィラー６２は、一端が本体部６１ａに固定された固定端となり、他端が自由端となるとともに、Ｂ方向に対して垂直に延びるシート状の弾性片から構成されている。フィラー６２は、斜め下方向通路５４を転動するメダル３に押されたときにＢ方向（メダル転動方向）に変形するとともに、下方から押されたときは移動板６１を上方に移動させる。ボス６１ｂには、ビス締め孔６１ｃが形成されている。
【００４１】
セレクタ本体４５の第１接触壁面４５ｂには、移動板６１の本体部６１ａが収納される収納凹部６５が形成されている。この収納凹部６５には、ボス６１ｂが挿通される長孔状の挿通孔６５ａが形成されている。収納凹部６５は、その上下方向の長さが、本体部６１ａよりも長い。なお、図４〜図６においては、メダル案内部材４２の図示を省略している。
【００４２】
図５及び図６に示すように、移動板６１を、セレクタ本体４５に取り付けるときには、ボス６１ｂを挿通孔６５ａに挿通し、本体部６１ａを収納凹部６５に収納した後、セレクタ本体４５の後面側からビス６７をビス締め孔６１ｃにビス締めする。ボス６１ｂは、挿通孔６５ａに挿通したときに、セレクタ本体４５の後面から僅かに突出する長さで形成されている。これにより、移動板６１は、上下方向に移動自在に取り付けられる。
【００４３】
移動板６１は、メダル検知センサ４７が斜め下方向通路５４を転動するメダル３に対面し、メダル検知センサ４７によるメダル３の検知が可能な検知可能位置（図６（Ａ）参照）と、メダル検知センサ４７がメダル３よりも上方に位置し、メダル検知センサ４７によるメダル３の検知が不能な検知不能位置（図６（Ｂ）参照）との間で移動自在となり、通常時は、自重により検知可能位置に位置する。
【００４４】
収納凹部６５の下部には、移動板６１が検知可能位置から検知不能位置に向けて移動したことを検知する移動検知センサ７１が埋め込まれている。移動検知センサ７１は、投光部７１ａと受光部７１ｂと備える（図４参照）。移動板６１が検知可能位置にあるときは、投光部７１ａから投光された光は、移動板６１で反射されて受光部７１ｂで受光される。移動板６１が検知可能位置から検知不能位置に向けて移動すると、投光部７１ａから投光された光は移動板６１で反射されないため、受光部７１ｂで受光されない。受光部７１ｂで受光されなくなったことに応じて、移動検知センサ７１は、移動板６１が検知可能位置から検知不能位置に向けて移動したことを検知する。
【００４５】
図７に示すように、スロットマシン２の作動は基本的にメイン基板８０によって管制される。メイン基板８０には、ＣＰＵ（エラー処理手段）８１、メモリ８２の他に、メダルカウンタ８３、クレジット記憶部８４等が設けられている。メモリ８２には、ＣＰＵ８１で実行する、例えば遊技実行プログラム等の制御プログラムや、これらプログラムを実行する際に必要な制御データ等が記憶されている。
【００４６】
メダル検知センサ４７がメダル３を検知すると、検知信号がＣＰＵ８１に入力される。メダルカウンタ８３は、メダル検知センサ４７から検知信号が入力されると作動され、投入されたメダル３の枚数を１枚ずつ計数する。ＣＰＵ８１は、検知信号が入力される度に、メダル３を１枚計数してクレジット記憶部８４に加算して記憶させる。クレジット記憶部８４に記憶されているメダル枚数は、クレジット枚数表示装置１３によってクレジット枚数表示窓１２を通して表示される。
【００４７】
１枚ベットボタン１７及びＭＡＸベットボタン１８の内部にはセンサが設けられており、それぞれのボタンが押下されたときにはＣＰＵ８１に信号を入力する。ＣＰＵ８１は、遊技の開始に先立って投入された１〜３枚のメダルの枚数をメダル検知センサ４７からの検知信号か、または１枚ベットボタン１７、ＭＡＸベットボタン１８のいずれかからの入力信号に基づいて計数し、これにより入賞ラインの有効化本数を決定する。また、ＣＰＵ８１は、１枚ベットボタン１７やＭＡＸベットボタン１８の押下操作によりメダルの投入操作が行われる毎に、１枚から３枚のメダル３をクレジット記憶部８４に記憶されたメダル枚数から減算し、減算されたメダル３をベットしてゲームを実行可能にする。
【００４８】
スタートスイッチセンサ８６は、スタートレバー２０が操作されたときにオンとなり、スタートレバー２０を操作すると遊技スタート信号をＣＰＵ８１に入力する。ＣＰＵ８１は、遊技スタート信号が入力されたことに応答してリール駆動コントローラ８８を作動し、第１〜第３リール１１ａ〜１１ｃを回転させることで遊技を開始する。遊技者が第１〜第３ストップボタン２１〜２３を押下操作すると、ＣＰＵ８１及びリール駆動コントローラ８８は第１〜第３リール１１ａ〜１１ｃの停止制御を行う。
【００４９】
遊技を行ってメダル３の払い出しを伴う当選役が入賞した場合には、ＣＰＵ８１は、ホッパー装置３２ｂを駆動して、当選役の種類に応じた枚数のメダル３を払い出し口３６からメダル受け皿３７に払い出す。
【００５０】
移動検知センサ７１は、移動板６１が検知可能位置から検知不能位置に向けて移動したことを検知すると、ＣＰＵ８１に遊技停止信号を送る。ＣＰＵ８１は、遊技停止信号が入力されたことに応じて、エラーコード表示装置１５に遊技停止状態である旨のエラーコードを表示し、ランプ２７を発光するとともに、スピーカ２８から音声を発生させて、エラーを報知する。これと同時に、ＣＰＵ８１は、エラー処理としてスロットマシン２を遊技不能な状態にする。この遊技不能な状態を解除するには、前面扉７の内側部分に設けられた解除スイッチ９０を操作する。
【００５１】
次に、上記のように構成されたスロットマシン２の作用について説明を行う。メダル投入口２５から投入されたメダル３は、下方向通路５３によりＡ方向に案内されて斜め下方向通路５４に送られる。メダル３が投入されると、振分装置４６のソレノイドによる励磁作用が働くことで、回動板４６ｂは通過位置にセットされる。これにより、メダル３が正規の大きさであれば、メダル３は回動板４６ｂにより支持されて斜め下方向通路５４をＢ方向に転動する。
【００５２】
図８（Ａ）に示すように、斜め下方向通路５４をＢ方向に転動するメダル３が、フィラー６２に当たると、図８（Ｂ）に示すように、フィラー６２は、メダル３に押されてＢ方向（メダル転動方向）に変形する。これと同時に、メダル検知センサ４７によりメダル３が検知される。斜め下方向通路５４を転動したメダル３は、メダル通路５７に侵入する。そして、メダル通路５７を案内されたメダル３は、メダルタンク３２ａに貯留される。
【００５３】
メダル検知センサ４７を不正に作動させるゴト行為として、メダル投入口２５に挿入可能でメダル３の径よりも幅狭な板状の部材に複数のＬＥＤを配置したゴト器具ＧＴを用いるものがある。ゴト行為を行うときには、複数のＬＥＤをメダル検知センサ４７に対面させた後にそれぞれ異なるタイミングで点滅させることにより、メダル検知センサ４７を不正に作動させる。ゴト器具ＧＴを、メダル投入口２５からメダル検知センサ４７に対面するように挿入したときには、メダル検知センサ４７が誤検知（メダル３ではない異物が挿入されたことを検知）するため、メダル検知センサ４７が不正に作動されることがない。このため、ゴト行為を行う者は、先ず、図９（Ａ）に示すように、ゴト器具ＧＴを、メダル投入口２５からメダル検知センサ４７及びフィラー６２の下方に位置するように挿入した後、複数のＬＥＤがメダル検知センサ４７に対面するようにゴト器具ＧＴを上方に移動させる。
【００５４】
図９（Ｂ）に示すように、ゴト器具ＧＴを上方に移動させると、フィラー６２にゴト器具ＧＴが当接する。このままゴト器具ＧＴを上方に移動させると、フィラー６２が上方に移動する力が発生する。この力により、フィラー６２が設けられた移動板６１も、ゴト器具ＧＴと一緒に上方に移動する。これにより、ゴト器具ＧＴのＬＥＤがメダル検知センサ４７に対面することがないから、メダル検知センサ４７が不正に作動されることがない。
【００５５】
また、移動板６１が上方に移動すると、移動検知センサ７１の投光部７１ａから発光された光が受光部７１ｂで受光されなくなる。これにより、移動検知センサ７１は、移動板６１が検知可能位置から検知不能位置に向けて移動したことを検知し、ＣＰＵ８１に遊技停止信号を送る。ＣＰＵ８１は、遊技停止信号が入力されたことに応じて、エラーコード表示装置１５に遊技停止状態である旨のエラーコードを表示し、ランプ２７を発光するとともに、スピーカ２８から音声を発生させて、エラーを報知する。これと同時に、ＣＰＵ８１は、スロットマシン２を遊技不能な状態にする。
【００５６】
このように、メダル投入口２５から挿入したゴト器具ＧＴを上方に移動させて、メダル検知センサ４７を不正に作動させるゴト行為が行われた場合にも、ゴト器具ＧＴの上方への移動に合わせて、フィラー６２が移動板６１を上方に移動させるから、ゴト器具ＧＴによりメダル検知センサ４７が不正に作動されることがなく、確実にゴト行為を防止することができる。
【００５７】
また、遊技不能な状態を解除するには、前面扉７を開放した後、前面扉７の内側部分に設けられた解除スイッチ９０を操作する。ゴト行為を行う者は、前面扉７の施錠を解除するドアキーを持っていないため、解除スイッチ９０を操作することができない。これにより、遊技場の管理者は、ゴト行為が行われたことを確実に把握することができる。
【００５８】
なお、上記実施形態では、移動板６１を自重により検知可能位置に位置するようにしているが、バネにより移動板６１を検知可能位置に向けて付勢してもよい。
【００５９】
また、上記実施形態では、フィラー６２を、移動板６１とは別部材として設けているが、フィラー６２を移動板６１に一体に形成してもよい。
【００６０】
さらに、上記実施形態では、スロットマシン２を例に挙げて説明を行っているが、メダル投入口から投入されたメダルを下方向に案内する下方向通路と、下方向通路を案内されたメダルを起立した状態で斜め下方向に転動させる斜め下方向通路とを備える遊技機であれば本発明を適用することができる。
【符号の説明】
【００６１】
２  スロットマシン
３  メダル
２５  メダル投入口
４１  メダルセレクタ
４５ｂ  第１接触壁面
４７  メダル検知センサ
５３  下方向通路
５４  斜め下方向通路
６１  移動板
６２  フィラー（弾性片）
７１  移動検知センサ
８１  ＣＰＵ（エラー処理手段）
【図１】
2010233594.tif 000003
【図２】
2010233594.tif 000004
【図３】
2010233594.tif 000005
【図４】
2010233594.tif 000006
【図５】
2010233594.tif 000007
【図６】
2010233594.tif 000008
【図７】
2010233594.tif 000009
【図８】
2010233594.tif 000010
【図９】
2010233594.tif 000011